(57)【要約】【課題】  扉の回動を制限し得るとともに、製造が容易で変形や損傷を生じにくい蝶番の提供。【解決手段】  軸体２に下側筒部１０が外嵌固定されるとともに扉用開口１３の縁部の取付け部１４に下側羽根板１１が取付けられる下側羽根部材３と、軸体２に上側筒部１７が回動自在に外嵌されるとともに扉２１に上側羽根板１８が取付けられる上側羽根部材４と、軸体２の軸方向途中に設けられて下側羽根部材３に対する上側羽根部材４の回動角度を制限するストッパ２５とを備え、ストッパ２５に、軸体２の途中から径方向外方に突出して上側羽根部材４の上側筒部１７を周方向に案内する案内面２７を備えた案内部２８と、軸体２の外周面に沿うよう案内面２７の周縁部から上方に突出して周方向で対向する係合面３３，３４を有する円弧状の回動制限部３２とを設け、上側羽根部材４に該上側羽根部材４が軸体２回りに回動した際に係合面３３，３４に周方向から当接して係合する被係合面１８ａを設けた蝶番１の構成。【選択図】  図１
2006257659.tif 000002
【特許請求の範囲】
【請求項１】
軸体の下部に筒部が外嵌固定されるとともに扉用開口の縁部の取付け部に羽根板が取付けられる下側羽根部材と、前記軸体の上部に筒部が回動自在に外嵌されるとともに扉に羽根板が取付けられる上側羽根部材と、前記軸体の軸方向途中に設けられて下側羽根部材に対する上側羽根部材の回動角度を制限するストッパとを備えた蝶番であって、
前記ストッパに、軸体の軸方向途中外周部から径方向外方に突出して上側羽根部材の筒部の下端面を周方向に案内する案内面を備えた案内部と、軸体の外周面に沿うよう前記案内面の周縁部から上方に突出して設けられるとともに周方向で対向する係合面を有する円弧状の回動制限部とが設けられ、前記上側羽根部材に該上側羽根部材が軸体回りに回動した際に前記回動制限部の係合面に周方向から当接して係合する被係合面が設けられたことを特徴とする蝶番。
【請求項２】
ストッパと軸体とを別体に設け、前記ストッパを前記軸体に圧入することで該軸体とストッパとを一体化していることを特徴とする請求項１記載の蝶番。
【請求項３】
被係合面が上側羽根板の羽根板の一部であることを特徴とする請求項１または請求項２記載の蝶番。
【請求項４】
軸体の下部に筒部が外嵌挿通されるとともに扉用開口の縁部の取付け部に羽根板が取付けられる下側羽根部材と、前記軸体の上部に筒部が回動自在に外嵌されるとともに扉に羽根板が取付けられる上側羽根部材と、前記軸体の軸方向途中に設けられて下側羽根部材に対する上側羽根部材の回動角度を制限するストッパとを備えた蝶番であって、
前記ストッパは軸体とは別体でその軸方向途中に外嵌されるとともに合成樹脂から形成され、該ストッパに、軸体の軸方向途中外周部から径方向外方に突出して上側羽根部材の筒部の下端面を周方向に案内する案内面を備えた案内部と、軸体の外周面に沿うよう前記案内面の周縁部から上方に突出して設けられるとともに周方向で対向する係合面を有する回動制限部とが設けられ、前記上側羽根部材の筒部に該上側羽根部材の筒部が軸体回りに回動した際に前記回動制限部の係合面に周方向から当接して係合する被係合面が形成されたことを特徴とする蝶番。
【発明の詳細な説明】
【技術分野】
【０００１】
本発明は、扉の開閉に用いられる蝶番に関する。
【背景技術】
【０００２】
従来、框等の扉取付け部材と扉との間に設けられて扉取付け部材に対して扉を開閉自在に支持する蝶番として、扉の回動範囲を制限する構成を有するものがある（例えば、特許文献１参照）。この蝶番は、扉取付け部材に固定されるとともに軸体の下部に筒部が圧入された下側羽根部材と、扉に取付けられるとともに軸体の上部に筒部が遊嵌された上側羽根部材と、軸体に外嵌挿通するとともに下側羽根部材の筒部と上側羽根部材の筒部との間に介装される短筒とを有する。下側羽根部材の筒部の上端部に下方へ凹となる溝が形成され、短筒の下端部に溝に嵌合する突部が形成されている。また、短筒の外周側部に柱状のストッパが一体に形成されている。
【０００３】
上記構成の蝶番では、下側羽根部材の筒部の溝に短筒の突部を嵌合させることで下側羽根部材に対して短筒を回動不可能としており、扉とともに上側羽根部材が軸体回りに回動して上側羽根部材がストッパに当接することで扉がそれ以上回動しないように制限される。
【特許文献１】特開平１１−５０７２６号公報
【発明の開示】
【発明が解決しようとする課題】
【０００４】
上記従来の蝶番のように、短筒の外周側部に上方に突出する柱状のストッパを設けることは製造上難しい。さらに、ストッパは短筒の外周側部に上側羽根部材に至るよう柱状に形成されているから、ストッパに上側羽根部材が当った際に上側羽根部材からモーメントが負荷され、このモーメントはストッパが長くなればその分だけ大きくなって塑性変形し易く、また損傷し易い。
【０００５】
そこで本発明は、扉の回動を制限し得るとともに、製造が容易で変形や損傷を生じにくい蝶番の提供を課題とする。
【課題を解決するための手段】
【０００６】
本発明の蝶番は、軸体の下部に筒部が外嵌固定されるとともに扉用開口の縁部の取付け部に羽根板が取付けられる下側羽根部材と、前記軸体の上部に筒部が回動自在に外嵌されるとともに扉に羽根板が取付けられる上側羽根部材と、前記軸体の軸方向途中に設けられて下側羽根部材に対する上側羽根部材の回動角度を制限するストッパとを備え、該ストッパに、軸体の軸方向途中外周部から径方向外方に突出して上側羽根部材の筒部の下端面を周方向に案内する案内面を備えた案内部と、軸体の外周面に沿うよう前記案内面の周縁部から上方に突出して設けられるとともに周方向で対向する係合面を有する円弧状の回動制限部とが設けられ、前記上側羽根部材に該上側羽根部材が軸体回りに回動した際に前記回動制限部の係合面に周方向から当接して係合する被係合面が設けられたことを特徴としている。
【０００７】
上記構成において、扉を開くと上側羽根部材の筒部の下端面がストッパの案内面に周方向に案内されて上側羽根部材が軸体回りに回動し、ストッパの回動制限部の係合面に上側羽根部材の被係合面が周方向から当接することで上側羽根部材の軸体回りの回動が阻止され、扉はそれ以上開かなくなる。
【０００８】
回動制限部は円弧状に形成されているから剛性が高く、したがってストッパの回動制限部の係合面に上側羽根部材の被係合面が周方向から当接した際の負荷や衝撃に充分に耐え、変形しにくい。
【０００９】
本発明の蝶番では、ストッパと軸体とを別体に設け、前記ストッパを前記軸体に圧入することで該軸体とストッパとを一体化していることが好ましい。この場合、軸体にストッパを容易に固定して一体とすることが可能となる。
【００１０】
本発明の蝶番では、被係合面が上側羽根板の羽根板の一部であることが好ましい。この構成によれば、被係合面を特別に設けたり、加工したりする必要がない。
【００１１】
本発明の蝶番は、軸体の下部に筒部が外嵌挿通されるとともに扉用開口の縁部の取付け部に羽根板が取付けられる下側羽根部材と、前記軸体の上部に筒部が回動自在に外嵌されるとともに扉に羽根板が取付けられる上側羽根部材と、前記軸体の軸方向途中に設けられて下側羽根部材に対する上側羽根部材の回動角度を制限するストッパとを備え、該ストッパは軸体とは別体でその軸方向途中に外嵌されるとともに合成樹脂から形成され、該ストッパに、軸体の軸方向途中外周部から径方向外方に突出して上側羽根部材の筒部の下端面を周方向に案内する案内面を備えた案内部と、軸体の外周面に沿うよう前記案内面の周縁部から上方に突出して設けられるとともに周方向で対向する係合面を有する回動制限部とが設けられ、前記上側羽根部材の筒部に該上側羽根部材の筒部が軸体回りに回動した際に前記回動制限部の係合面に周方向から当接して係合する被係合面が形成されたことを特徴としている。
【００１２】
上記構成において、扉を開くと上側羽根部材の筒部の下端面がストッパの案内面に周方向に案内されて上側羽根部材が軸体回りに回動し、ストッパの回動制限部の係合面に上側羽根部材の被係合面が周方向から当接することで上側羽根部材の軸体回りの回動が阻止され、扉はそれ以上開かなくなる。
【００１３】
この蝶番のストッパは合成樹脂から形成されているから、ストッパの回動制限部の係合面に上側羽根部材の被係合面が周方向から当接した際の衝撃が緩衝され、また、扉を開けた際の音の発生が抑えられる。
【発明の効果】
【００１４】
本発明の蝶番によれば、ストッパの回動制限部を案内面の周縁部から上方に突出させている構成であり、案内部の外周面から径方向に突出する部分がないからストッパの構造が簡単になり、したがって製造を容易に行うことができる。また、回動制限部を円弧状に形成している分だけ回動制限部の剛性を高くすることができ、回動制限部の係合面に上側羽根部材の被係合面が周方向から係合する際の負荷に充分に耐え、回動制限部の変形を抑えることができる。
【発明を実施するための最良の形態】
【００１５】
以下、本発明の実施形態に係る蝶番を、図面に基づいて説明する。この蝶番は、例えば家屋に敷設されたガスメータ室に設けられた扉を開閉するのに用いられる。先ず、図１〜図１１に基づいて本発明の第一の実施形態に係る蝶番を説明する。
【００１６】
図１は本発明の第一の実施形態に係る蝶番を用いて扉を閉じた状態の使用状態を示す斜視図、図２は扉を開いた状態の使用状態を示す斜視図、図３は蝶番の軸体の単体正面図、図４は軸体の単体側面図、図５は軸体の単体背面図、図６は軸体の単体斜視図、図７は軸体の単体平面図、図８は軸体の単体底面図、図９は軸体の使用状態を示す縦断面図であり図７におけるＡ−Ａ線断面図、図１０は蝶番の分解斜視図、図１１は下側羽根部材に対する上側羽根部材の回動範囲を示す斜視図である。
【００１７】
図１および図２に示すように、蝶番１は、軸体２と、下側羽根部材３と、上側羽根部材４と、上下の蓋部材５，６との組品である。軸体２は上部に比べて下部がわずかに大径に形成された円柱状の軸本体７と、軸本体７の一方端面に形成された凹部に転動自在に嵌合する玉８とを備える。
【００１８】
下側羽根部材３は、下側筒部１０と、この下側筒部１０の外周部から径方向外方に向けて一体に突出形成された下側板部１１と、前記下側筒部１０の下方から圧入された前記下側の蓋部材５とを有する。下側筒部１０は軸本体７の下側から下側の蓋部材５の図示しない胴部の上端面が軸本体７の下端面に当接する位置まで圧入されることで軸本体７に外嵌固定される。下側板部１１の板面には、千鳥型に下側止め孔１２が複数形成されている。このような下側羽根部材３は、家屋に敷設されたガスメータ室等の扉開口１３の縁部の取付け部１４に取付けられるもので、この場合、下側板部１１を取付け部１４の取付け枠面１５に当てた状態で、下側止め孔１２に止めねじ１６を螺合することで下側羽根部材３を取付け部１４に固定する。
【００１９】
上側羽根部材４は、上側筒部１７と、この上側筒部１７の外周部から径方向外方に向けて一体に突出形成された上側板部１８と、前記上側筒部１７の上方から圧入された前記上側の蓋部材６とを有する。上側筒部１７は軸本体７の上側から上側蓋部材６の図示しない胴部の下端面が前記玉８に当接する位置まで挿入されて軸本体７に回転自在に外嵌（遊嵌）される。上側板部１８の板面には、千鳥型に上側止め孔２０が複数形成されている。このような上側羽根部材４は、ガスメータ室等の扉開口１３を開閉する扉２１に取付けられるもので、この場合、上側板部１８を扉２１の端面２１ａに当てた状態で、上側止め孔２０に止めねじ１６を螺合することで上側羽根部材４を扉２１の端面２１ａに固定する。
【００２０】
図３〜図５に示すように、蝶番１は、下側羽根部材３の下側筒部１０と上側羽根部材４の上側筒部１７との間に配置されるよう軸体２の軸方向途中に設けられて下側羽根部材３に対する上側羽根部材４の回動角度を制限するストッパ２５を備えている。次に、このストッパ２５について説明する。
【００２１】
ストッパ２５は、軸体２に一体に形成されるもので、軸体２の外周部に一体に径方向外方に突出するよう軸体２に形成されて上側羽根部材４の下端面２６を案内する平面状の上側案内面２７を備えた案内部２８と、軸体２の外周面３６に沿うよう上側案内面２７の外周縁部領域３０から上方に向けて一体に突出された回動制限部３２とを有している。
【００２２】
図６および図７に示すように、回動制限部３２は平面視して半円弧状に形成されている。回動制限部３２は３６０°の外周縁部領域３０のうち、略１８０°の領域を占めるよう設定されており、回動制限部３２の周方向に対向する矩形の段付き面が後述のような平面状の係合面３３，３４として用いられる。よって係合面３３，３４は、周方向に角度θ、すなわち略１８０°だけ離間して周方向に対向配置されている。換言すると、回動制限部３２は、案内部２８の上側案内面２７の外周縁部領域３０から上方に向けて一体に突出された筒状部３５（図６の仮想線で示す）の所定領域、この場合、筒状部３５をほぼ半割にした領域を切欠いた形状を有する。また、軸体２の外周面３６と回動制限部３２の内周面３７との間に、上側羽根部材４の上側筒部１７の下部が挿入される隙間４０が設けられている。
【００２３】
図８および図９に示すように、ストッパ２５の案内部２８は、下側羽根部材３の下側筒部１０の上端面４２が当接する平面状の下側当接面４３を有する。案内部２８は、軸体２の外周面に沿うよう下側案内面４３の外周縁部領域３１から下方に向けて一体に突出した環状の下側羽根部材３の筒状の保持部４４を有する。この保持部４４の周方向途中である係合面３３，３４間の中心に対応する位置に上方に向かう切欠溝４５が形成されている。軸体２の外周面３６と保持部４４の内周面３８との間に、下側羽根部材３の下側筒部１０の上部が挿入される隙間４１が設けられている。前記切欠溝４５の周方向の対向面４６，４７に下側羽根部材３の下側板部１１の上部基端部１１ａが挿入されている。このような蝶番１は、例えばステンレス等の金属によって形成されている。
【００２４】
上記構成を有する蝶番１は、軸体２の下部を、ストッパ２５の切欠溝４５が下側板部１１の上部基端部１１ａに嵌合するまで下側羽根部材３の下側筒部１０に圧入することで軸体２と下側羽根部材３とを一体とする。軸体２と下側羽根部材３とを一体とした組品を、その下側板部１１の下側止め孔１２に止めねじ１６を挿通して取付け部１４の板面に螺合することで下側羽根部材３を取付け部１４に固定する。なお、軸体２と下側羽根部材３とを一体とした組品は、上下一対となるように取付け部１４の所定位置に取付けられる。
【００２５】
一方で、上側羽根部材４の上側筒部１７に蓋部材６を固定して組品としておき、この組品における上側羽根部材４の上側板部１８の上側止め孔２０に止めねじ１６を挿通して扉２１の端面２１ａに上側羽根部材４と蓋部材６の組品を固定する。このような組品も扉２１の端面２１ａの上下所定位置に取付けられる。
【００２６】
そして扉２１を持上げるようにして軸体２に上側羽根部材４の上側筒部１７を位置合せするようにして扉２１を下降させる。そうすると、上側羽根部材４の上側筒部１７の軸体２に挿通し、軸体２に上側筒部１７が回動自在に嵌合することから、扉２１が扉開口１３を開閉可能とする。
【００２７】
ところで、扉２１を扉開口１３を閉じた姿勢から扉開口１３を開放するよう開くと、上側羽根部材４（下側筒部１７）の下端面２６が案内部２８の上側案内面２７に摺動するよう案内されつつ扉２１が開かれる。ところで、扉２１の開放量（回動角度）は、ストッパ２５によって制限される。すなわち、上記のように上側羽根部材４の下端面２６が案内部２８の上側案内面２７に摺動するよう案内されつつ扉２１が所定角度、この場合略９０°まで開くと、上側板部１８の下部基端部１８ａの板面を被係合面として、これが回動制限部３２の段付き面である係合面３３に当接することになり、これによって下側羽根部材３に対して上側羽根部材４がそれ以上回動できなくなり、したがって扉２１もそれ以上開かなくなる。
【００２８】
扉２１の回動角度が略９０°であるのは、係合面３３，３４が周方向に略１８０°だけ離間していたとしても、係合面３３，３４間の中心に対応する位置に切欠溝４５が形成されており、切欠溝４５に下側羽根部材３の下側板部１１の上部基端部１１ａが挿入されているからである。
【００２９】
なお、係合面３３，３４が周方向に略１８０°離間させているから、図９に示すように、上側羽根部材４は下側羽根部材３に対して１８０°の範囲で回動可能であり、このように、係合面３３，３４を周方向に略１８０°離間させることで、蝶番１の取付け勝手によっても扉２１をその閉状態から９０°だけ開くことができるように対応させることができるようにしている。
【００３０】
そして、この実施形態における蝶番１では、ストッパ２５は、上側案内面２７の外周縁部領域３０から上方に向けて一体に突出された円弧状の回動制限部３２を有して、この回動制限部３２の係合面３３（３４）に、上側板部１８の下部基端部１８ａの板面を当接させるよう構成されている。このように回動制限部３２を円弧状に形成しているから、柱状に形成して回動制限をする形状に比べて剛性が高いから、回動制限部３２が同じ大きさの周方向の力を受けた場合に柱状に形成したものに比べてその変形を効果的に抑制することができる。
【００３１】
さらに、回動制限部３２は案内部２８の上側案内面２７の外周縁部領域３０から上方に向けて一体に突出するものであって、案内部２８の外周面に突出させて設けるものでないから、回動制限部３２を含めるストッパ２５の製造が簡単になる。
【００３２】
また、ストッパ２５の隙間４０，４１にはそれぞれ上側羽根部材４の上側筒部１７の下部、下側羽根部材３の下側筒部１０の上部が挿入されるから、ストッパ２５を設けていても隙間４０，４１に上側羽根部材４の上側筒部１７の下部、下側羽根部材３の下側筒部１０の上部が挿入されることで、蝶番１全体の高さが高くなるのを抑えることができる。あるいは、案内部２８の高さ方向の厚みを変更することで、蝶番１全体の高さを変更することも可能である。
【００３３】
この第一の実施形態では、ストッパ２５（案内部２８）は軸体２の外周面３６に一体形成した。しかし、ストッパ２５を軸体２と別体に設け、ストッパ２５の案内部２８を軸体２に圧入するようにして軸体２と一体となるよう組立てることも可能である。このようにすることで、ストッパ２５を軸体２に一体に形成する場合に比べて製造が容易になる。このように構成した場合であっても、上記実施形態と同様の作用効果を奏し得る。
【００３４】
上記第一実施形態では、係合面３３，３４を周方向に略１８０°離間させる構成とすることで扉２１を閉状態から略９０°の回動範囲で開閉可能な構成とした。しかし、回動制限部３２の周方向長さを変更することで係合面３３，３４の周方向の離間角度を変更して扉２１の必要な回動範囲に対向することが可能である。
【００３５】
次に、本発明の第二の実施形態を図１２〜図１７に基づいて説明する。図１２は本発明の第二実施形態を示す蝶番を用いて扉を閉じた状態の使用状態斜視図、図１３は扉を開いた状態の使用状態斜視図、図１４は蝶番の分解斜視図、図１５は上側羽根部材の単体斜視図、図１６はストッパの単体斜視図、図１７はストッパの縦断面図であり、図１６におけるＢ−Ｂ線断面図である。
【００３６】
図１２〜図１４に示すように、この実施形態に係る蝶番４９は、軸体５０と、下側羽根部材５１と、上側羽根部材５２と、上下の蓋部材５３，５４と、ストッパ５５との組品である。軸体５０は上部に比べて下部がわずかに大径に形成された円柱状の軸本体５６と、軸本体５６の上方端面に形成された凹部７ａに転動自在に嵌合する玉８とを備える。
【００３７】
下側羽根部材５１は、下側筒部５７と、下側羽根板５８と、前記蓋部材５３とから構成されている。下側筒部５７の上端部はほぼ半割にした領域を切欠いた円弧形状を有して、周方向に略１８０°離間して対向する下側当接面６０，６１を有する。下側当接面６０，６１の下縁どうしは、下側筒部５７の上端面である下側円弧状面６２によって連続されている。すなわち、下側筒部５７は、下側円弧状面６２から上方へ向けて突出した円弧状の突出部５９を有し、この突出部５９にその周方向に対向する端面が形成されて前記下側当接面６０，６１とされている。
【００３８】
下側羽根板５８の高さは下側筒部５７の最も高い高さと同等であり、図１４に示すように、一方の下側当接面６０は下側羽根板５８の一方の板面５８ａと面一にある。下側羽根板５８の板面には、止めねじ６３を挿通させるための下側止め孔６４が複数形成されている。
【００３９】
上側羽根部材５２は、上側筒部６５と、上側羽根板９０と、前記蓋部材５４とから構成されている。上側筒部６５の下端部は、ほぼ周方向に９０°だけ残してそれ以外の領域を切欠いた円弧形状を有して、周方向に略９０°離間して対向する被係合面としての上側当接面６６，６７を有する。上側当接面６６，６７の上縁どうしは、上側円弧状面６８によって連続されている。すなわち、上側筒部６５は、上側円弧状面６８から下方へ向けて突出した円弧状の被規制部６９を有し、この被規制部６９の周方向に対向する端面が前記上側当接面６６，６７である。また、被規制部６９は、周方向に所定長さＬを有する。
【００４０】
上側羽根板６６の高さは上側筒部６５の最も高い高さと同等であり、一方の上側当接面６７は上側羽根板９０の一方の板面９０ａと面一にある。上側羽根板６６の板面には、止めねじ６３を挿通させるための上側止め孔７０が複数形成されている。
【００４１】
下側羽根部材５１および上側羽根部材５２は、前記ストッパ５５を介して軸体５０に取付けられる。ここでストッパ５５の構成を説明する。図１６および図１７に示すように、ストッパ５５は環状に形成されて軸体５０の途中に挿通もしくは圧入されされるものである。ストッパ５５は、軸体５０の途中に挿通もしくは圧入されされる環状の嵌合部７１を有し、この嵌合部７１の下面が円弧状の下側取付け面７２とされ、この下側取付け面７２に、下方に向けて円弧状の案内部７３が一体に延長して形成されている。この案内部７３に前記下側羽根部材５１の下側当接面６０，６１に対向接触する保持端面７４，７５が周方向に対向して形成されている。すなわちこの保持端面７４，７５は周方向に略１８０°だけ離間して配置されている。
【００４２】
嵌合部７１の上面が円弧状の上側案内面７６とされ、この上側案内面７６に、上方に向けて円弧状の回動制限部７７が一体に延長して形成されている。この回動制限部７７に、前記上側当接面６６，６７にそれぞれ周方向で対向する平面状の係合面８０，８１が形成されている。換言すると、回動制限部７７は、嵌合部７１の上側案内面７６から上方に向けて一体に突出された仮想の筒状部８２（図１６の仮想線で示す）の所定領域、この場合、筒状部８２をほぼ半割にした領域を切欠いた形状を有する。
【００４３】
前記案内部７３の両保持端面７４，７５を含む仮想平面と、回動制限部７７の両係合面８０，８１を含む仮想平面とは、ほぼ直交する平面の関係にある。係合面８０，８１の周方向離間角度を所定角度θ１（この場合、１８０°に設定）とした際、この所定角度θ１に対して被規制部６９の周方向の所定長さＬの設定値によって、下側羽根部材５１に対する上側羽根部材５２の回動範囲が決定される。このようなストッパ５５は合成樹脂によって形成されている。蝶番４９を構成する他の部材はステンレス等の金属によって形成される。なお、ストッパ５５の保持端面７４，７５の高さと下側羽根部材５１の下側当接面６０，６１の高さ、ストッパ５５の係合面８０，８１と上側羽根部材５２の上側当接面６６，６７の高さはそれぞれ実質的に等しく設定されている。
【００４４】
上記構成の蝶番４９では、ストッパ５５を軸体５０の途中まで圧入する。このとき、ストッパ５５と軸体５０とは別体でありストッパ５５を圧入するだけでよいから両者の組立て作業は容易である。次に、下側羽根部材５１の下側筒部５７に軸体５０を圧入することで、下側羽根部材５１と軸体５０とを固定する。このとき、ストッパ５５の案内部７３の下端面７３ａと下側筒部５７の上端面である下側円弧状面６２とを当接させるとともに、ストッパ５５の嵌合部７１の下側取付け面７２と下側筒部５７の突出部５９の上端面５９ａとが当接するようにして軸体５０、ストッパ５５および下側羽根部材５１の組品とする。
【００４５】
そして、下側羽根部材５１の下側羽根板５９の下側止め孔６４に止めねじ６３を挿通させ、止めねじ６３を取付け部１４の取付け枠面１５に当てた状態で、これに止めねじ６３を螺合することで下側羽根部材５１を取付け部１４に固定する。軸体５０と下側羽根部材５１とを一体とした組品は、上下一対となるように取付け部１４の所定位置に取付けられる。
【００４６】
一方で、蓋部材５４を圧入により固定した上側羽根部材５２の上側羽根板９０の上側止め孔７０に止めねじ６３を挿通させて上側羽根部材５２を扉２１の端面２１ａに当てた状態で、上側止め孔７０に止めねじ６３を相通して扉２１の端面２１ａに螺合することで上側羽根部材４を扉２１に固定する。
【００４７】
続いて、上側羽根部材５２の上側筒部６５を軸体５０に上方から挿入する。このとき、上側筒部６５の上側円弧状面６８とストッパ５５の回動制限部７７の上端面７７ａとを当接させる。また、被規制部６９の下端面６９ａとストッパ５５の上側案内面７６とを当接させるよう上側羽根部材５２の上側筒部６５を軸体５０に挿入する。これにより、被規制部６９の上側当接面６６とストッパ５５の係合面８０とが周方向で対向し、被規制部６９の上側当接面６７とストッパ５５の係合面８１とが周方向で対向することになる。なお、図１２に示すように、扉２１を閉じた状態では被規制部６９の上側当接面６６とストッパ５５の係合面８０とが周方向で当接しており、被規制部６９の上側当接面６７とストッパ５５の係合面８１とが周方向で離間して対向している。
【００４８】
この状態から扉２１を開くと、被規制部６９の下端面６９ａがストッパ５５の上側案内面７６に周方向に摺動しながら案内され、扉２１を所定角度（この場合、９０°）だけ回動させると、被規制部６９の上側当接面６７がストッパ５５の係合面８１に当接する。これにより、扉２１はそれ以上開かなくなる。
【００４９】
このように、本発明の第二実施形態の蝶番４９によれば、下側羽根部材５１に対する上側羽根部材５２の回動角度を制限することにより、扉２１の回動角度を制限して、扉２１が必要以上に開いてしまうのを防止することができる。
【００５０】
ストッパ５５は合成樹脂によって形成されているから、回動制限部７７の係合面８１に被規制部６９の上側当接面６７が当接した際、金属と金属の当接にならず、合成樹脂によって当接の際の衝撃が緩衝（吸収）される。したがって回動制限部７７の係合面８１に被規制部６９の上側当接面６７が当接した際に、当接に伴う音の発生を抑えることができるとともに、使い心地の良好な蝶番４９となっている。
【００５１】
そしてこの実施形態においては、ストッパ５５は合成樹脂から形成しているから、ストッパ５５形成のために射出成形用の金型を準備することで、容易にストッパ５５を形成することが可能であり、第一実施形態と同様に回動制限部７７は案内部７３の上側案内面７６そのものから直接上方に向けて一体に突出するものであって、案内部７３の外周面に突出させて設けるものでないから、金型形状も複雑にならない。
【００５２】
この実施形態における蝶番４９では、ストッパ５５は、上側案内面７６から上方に向けて一体に突出された円弧状の回動制限部７７を有して、この回動制限部７７の係合面８１に被規制部６９の上側当接面６７が当接（周方向で係合）することになる。このように回動制限部７７を円弧状に形成しているから、ストッパ５５（回動制限部７７）が合成樹脂であってもその剛性を高くすることができる。あるいは、ストッパ５５の係合面８０，８１、保持端面７４，７５の高さを変更し、下側羽根部材５１の下側当接面６０，６１、上側羽根部材５２の上側当接面６６，６７の高さを変更することで蝶番４９の高さを変更することも可能である。
【００５３】
ストッパ５５は軸体５０に圧入したが、これに限定されるものではく、ストッパ５５を軸体５０に回転自在に嵌合するようにしてもよい。この場合、下側羽根部材５１の下側当接面６０，６１の周方向の離間角度（上記実施形態では１８０°）と、ストッパ５５の保持端面７４，７５との離間角度とが同一であれば、下側当接面６０，６１に保持端面７４，７５が当接するから、ストッパ５５を軸体５０に回転自在に嵌合しても、ストッパ５５は軸体回りには非回転となるからである。
【００５４】
そして、この場合では下側羽根部材５１の下側当接面６０，６１の周方向の離間角度は特に限定されるものではなく、１８０°より大きくても小さくてもよく、ストッパ５５の保持端面７４，７５と互いに当接してストッパ５５の回動を阻止できる角度であればよい。
【図面の簡単な説明】
【００５５】
【図１】本発明の第一の実施形態に係る蝶番を用いて扉を閉じた状態の使用状態を示す斜視図。
【図２】同じく扉を開いた状態の使用状態を示す斜視図。
【図３】同じく蝶番の軸体の単体正面図。
【図４】同じく軸体の単体側面図。
【図５】同じく軸体の単体背面図。
【図６】同じく軸体の単体斜視図。
【図７】同じく軸体の単体平面図。
【図８】同じく軸体の単体底面図。
【図９】同じく軸体の使用状態を示す縦断面図。
【図１０】同じく蝶番の分解斜視図。
【図１１】同じく下側羽根部材に対する上側羽根部材の回動範囲を示す斜視図。
【図１２】本発明の第二実施形態を示す蝶番のを用いて扉を閉じた状態の使用状態斜視図。
【図１３】同じく扉を開いた状態の使用状態斜視図。
【図１４】同じく蝶番の分解斜視図。
【図１５】同じく上側羽根部材の単体斜視図
【図１６】同じくストッパの単体斜視図。
【図１７】同じくストッパの縦断面図。
【符号の説明】
【００５６】
１…蝶番、２…軸体、３…下側羽根部材、４…上側羽根部材、７…軸本体、１０…下側筒部、１１…下側板部、１２…下側止め孔、１３…扉開口、１４…取付け部、１５…取付け枠面、１６…止めねじ、１７…上側筒部、１８…上側板部、２０…上側止め孔、２１…扉、２１ａ…扉の端面、２５…ストッパ、２７…上側案内面、２８…案内部、３０…外周縁部領域、３２…回動制限部、３３，３４…係合面、３５…筒状部、４０…隙間、４３…下側当接面、４４…保持部、４５…切欠溝、４１…隙間、４６，４７…対向面、４９…蝶番、５０…軸体、５１…下側羽根部材、５２…上側羽根部材、５５…ストッパ、５６…軸本体、５７…下側筒部、５８…下側羽根板、５９…突出部、６０，６１…下側当接面、６２…下側円弧状面、６５…上側筒部、６６，６７…上側当接面、６８…上側円弧状面、６９…被規制部、７１…嵌合部、７２…下側取付け面、７３…案内部、７４，７５…保持端面、７６…上側案内面、７７…回動制限部、９０…上側羽根板
【図１】
2006257659.tif 000003
【図２】
2006257659.tif 000004
【図３】
2006257659.tif 000005
【図４】
2006257659.tif 000006
【図５】
2006257659.tif 000007
【図６】
2006257659.tif 000008
【図７】
2006257659.tif 000009
【図８】
2006257659.tif 000010
【図９】
2006257659.tif 000011
【図１０】
2006257659.tif 000012
【図１１】
2006257659.tif 000013
【図１２】
2006257659.tif 000014
【図１３】
2006257659.tif 000015
【図１４】
2006257659.tif 000016
【図１５】
2006257659.tif 000017
【図１６】
2006257659.tif 000018
【図１７】
2006257659.tif 000019